(57)【特許請求の範囲】
【請求項１】
接足面の、拇趾球と小趾球の直下にあたる部分の間に、幅方向の断面が弧状となるよう膨隆する横アーチ加圧部が形成されており、
接足面の、拇趾球と小趾球の直下にあたる部分には、拇趾球及び小趾球を支持しない一対の逃げ部が形成されて、拇趾球と小趾球が接足面に支持されないよう構成されていることを特徴とする履物。
【請求項２】
前記逃げ部の少なくとも一方は、接足面が拇趾球又は小趾球と当接しないように、横アーチ加圧部よりも低く形成されたものであることを特徴とする請求項１に記載の履物。
【請求項３】
前記逃げ部の少なくとも一方は、接足面が拇趾球又は小趾球と当接しないように、拇趾球又は小趾球の直下にあたる部分を欠落させたものであることを特徴とする請求項１又は請求項２に記載の履物。
【請求項４】
前記逃げ部の少なくとも一方は、
横アーチ加圧部の側縁から外側に向けて４５°以上の角度で下り傾斜して、拇趾球又は小趾球の内側部と当接する傾斜当接部と、
該傾斜当接部の外側に形成されて、拇趾球又は小趾球と当接しない非当接部と
によって構成されることを特徴とする請求項１乃至請求項３のいずれか１項に記載の履物。
【請求項５】
接足面と接地面を形成する履物本体と、足の甲を覆う甲被とを備えてなるサンダルタイプの履物であって、
前記甲被は、
履物本体の両側部に夫々固着される一対の甲被片と、該一対の甲被片を脱着可能に相互連結する連結手段とを備えてなり、
一対の甲被片を連結手段で連結して足の甲を覆う被覆状態と、一対の甲被片を相互に分離して外側に開いた開放状態とに変換可能であることを特徴とする請求項１乃至請求項４のいずれか１項に記載の履物。
【発明の詳細な説明】
【技術分野】
【０００１】
本発明は、足のストレッチや矯正に用いられる履物に関する。
【背景技術】
【０００２】
人間の足は、直立時に、拇趾球（拇趾のつけ根）と、小趾球（小趾のつけ根）と、踵の三箇所で体を支えるようになっている。そして、人間の足には、これらの箇所に架け渡された三本のアーチ構造が備えられている。アーチ構造は筋肉や靱帯によって構成されるものであり、これらのアーチ構造が、前記三箇所に加わる衝撃を吸収するクッションとして働いている。具体的には、三本のアーチ構造は、拇趾球と踵の間に架け渡されて土踏まずを形成する内側縦アーチと、小趾球と踵の間に架け渡される外側縦アーチと、拇趾球と小趾球の間に架け渡される横アーチとからなる。
【０００３】
ところで、近年では、ハイヒールの着用などによって足先に過度の負担が加わることで、横アーチが扁平につぶれてしまったり、逆向き（下向きに）反ってしまう人が増加している。このように、横アーチの形状が崩れてしまった人は、足に加わる衝撃を十分吸収できなくなることで疲れやすくなる。また、外反母趾やタコ、ウオノメなどを発症しやすくなる。そして、かかる横アーチの崩れによる弊害を防止するために、接足面を横アーチの形状に膨隆させて、着用時に横アーチを支持する履物や中敷きが提案されている（特許文献１〜３参照）。
【先行技術文献】
【特許文献】
【０００４】
【特許文献１】特開２００９−１７９３８号公報
【特許文献２】国際公開第２００８／１４６３７６号
【特許文献３】特開２０１２−１８７３７４号公報
【発明の概要】
【発明が解決しようとする課題】
【０００５】
上記特許文献に記載された従来の履物１００は、図８に示すように、着用中に横アーチＦを下から支持して、横アーチＦの負担を軽減することで横アーチＦの崩れを防止し得るものである。なお、図８中の１０２は履物本体であり、１０３は足Ｃの甲を覆う甲被であり、１０４は地面と接する接地面、１０５は足裏と接する接足面である。しかしながら、こうした履物１００は、足Ｃの拇趾球Ｄと小趾球Ｅを接足面１０５で支持した状態で、接足面１０５の膨隆部分１０７で横アーチＦを下から支持するものであり、横アーチＦを形成する部位を下から強く加圧するものではない。このため、かかる履物１００の効果は、当該履物１００の着用中に横アーチＦの崩れを防止する程度であり、当該履物１００を履いても、その他の要因によって崩れた横アーチＦの形状を回復させたり、矯正したりすることはできない。
【０００６】
本発明は、かかる問題の解決を試みたものであり、足の横アーチの矯正やストレッチを好適に行い得る履物の提供を目的とする。
【課題を解決するための手段】
【０００７】
本発明は、接足面の、拇趾球と小趾球の直下にあたる部分の間に、幅方向の断面が弧状となるよう膨隆する横アーチ加圧部が形成されており、接足面の、拇趾球と小趾球の直下にあたる部分には、拇趾球及び小趾球を支持しない一対の逃げ部が形成されて、拇趾球と小趾球が接足面に支持されないよう構成されていることを特徴とする履物である。
【０００８】
本発明の履物着用時は、拇趾球と小趾球は接足面で支持されないため、普段は拇趾球と小趾球で支持している荷重が拇趾球と小趾球に加わらず、拇趾球と小趾球の間にある、横アーチを形成する部位（以下、横アーチ形成部位という）に対して、横アーチ加圧部から強い荷重が加わることとなる。このように、本発明の履物によれば、横アーチ加圧部によって足の横アーチ形成部位を下から強く加圧できるため、断面弧状をなす横アーチ加圧部の膨隆形状によって、歪んだ横アーチの形状を補正するとともに、横アーチを形成する筋肉のストレッチを行い、疲労した筋肉を回復させることが可能となる。特に、本発明の履物は、横アーチ形成部位を強く加圧するものであるため、長時間着用しなくても、数分〜数十分程度着用するだけでも十分な効果が得られるという利点がある。
【０００９】
本発明に係る逃げ部の具体的な構成として、前記逃げ部の少なくとも一方は、接足面が拇趾球又は小趾球と当接しないように、横アーチ加圧部よりも低く形成されたものである構成が提案される。また、別の構成として、前記逃げ部の少なくとも一方は、接足面が拇趾球又は小趾球と当接しないように、拇趾球又は小趾球の直下にあたる部分を欠落させたものである構成が提案される。
【００１０】
かかる構成にあっては、拇趾球と小趾球が接足面に当接しないため、普段は拇趾球と小趾球で支持している荷重のほぼ全てを、横アーチ形成部位に加えて加圧することが可能となる。
【００１１】
また、別の構成として、前記逃げ部の少なくとも一方は、横アーチ加圧部の側縁から外側に向けて４５°以上の角度で下り傾斜して、拇趾球又は小趾球の内側部と当接する傾斜当接部と、該傾斜当接部の外側に形成されて、拇趾球又は小趾球と当接しない非当接部とによって構成されることが提案される。
【００１２】
かかる構成にあっては、拇趾球又は小趾球の内側部が、傾斜当接部で接足面と当接することとなるが、急勾配の傾斜当接部では拇趾球や小趾球が当接していても、体を支持できないため、かかる構成にあっても、横アーチ加圧部に強い荷重を加えることが可能となる。なお、非当接部は、拇趾球や小趾球と接しないように低い位置に形成されたものであってもよいし、接地面も含めて欠落したものであってもよい。
【００１３】
また、本発明にあって、接足面と接地面を形成する履物本体と、足の甲を覆う甲被とを備えてなるサンダルタイプの履物であって、前記甲被は、履物本体の両側部に夫々固着される一対の甲被片と、該一対の甲被片を脱着可能に相互連結する連結手段とを備えてなり、一対の甲被片を連結手段で連結して足の甲を覆う被覆状態と、一対の甲被片を相互に分離して外側に開いた開放状態とに変換可能であることが提案される。
【００１４】
かかる構成にあっては、甲被を開放状態にして接足面の上を開放することで、横アーチ形成部位を横アーチ加圧部の上に、正確に、かつ容易に載せることができ、また、足を載せた後で甲被を連結状態とすることで、足裏が正しい位置からずれないように、接足面に対して足をしっかりと保持することが可能となる。
【発明の効果】
【００１５】
以上に述べたように、本発明の履物を着用することで、足の横アーチの矯正やストレッチを好適に行うことが可能となる。
【図面の簡単な説明】
【００１６】
【図１】実施例のサンダル１の斜視図であり、（ａ）は甲被３の被覆状態を示し、（ｂ）は甲被３の開放状態を示す。
【図２】履物本体２の斜視図である。
【図３】履物本体２の平面図である。
【図４】図３中のＡ−Ａ線断面図である。
【図５】実施例２の履物本体２の断面図である。
【図６】実施例３の履物本体２の断面図である。
【図７】実施例４の履物本体２の断面図である。
【図８】従来の履物１００の断面図である。
【発明を実施するための形態】
【００１７】
本発明の実施形態を、以下の実施例に従って説明する。
【実施例１】
【００１８】
本実施例は、本発明をサンダルに適用したものである。図１に示すように、本実施例のサンダル１は、接地面４及び接足面５を形成する板状の履物本体２と、足の甲を覆う甲被３とからなる。
【００１９】
甲被３は、履物本体２の左右両側縁に固着された一対の甲被片３ａ，３ｂによって構成される。甲被片３ａ，３ｂは、布地等によって構成されるものであり、その表面には、甲被片３ａ，３ｂを脱着可能に相互連結する面ファスナー（連結手段）６が配設される。図１（ａ）に示すように、甲被３は、面ファスナー６，６を接合して甲被片３ａ，３ｂを相互連結することで足の甲を覆う被覆状態となる。また、図１（ｂ）に示すように、甲被３は、面ファスナー６，６を剥がして甲被片３ａ，３ｂを分離させることで、甲被片３ａ，３ｂを履物本体２の外側に開いた開放状態にできる。かかる開放状態では、接足面５全体が上方に開放することとなるため、足裏を接足面５に、正確かつ容易に載せることができる。
【００２０】
図２〜４に示すように、履物本体２は、板状をなす合成樹脂成形品である。履物本体２は、着用者の足裏より一回り大きく形成されており、その下面は地面と接する接地面４を構成し、その上面は足裏と当接する接足面５を構成する。ここで、接地面４は平坦であるが、接足面５には凹凸形状が形成される。具体的には、接足面５には、足Ｃの横アーチＦの直下にあたる部分に、幅方向にわたる凹凸形状が形成される。横アーチＦは、図３，４に示すように、拇趾球Ｄ（拇趾Ｍ１のつけ根）と、小趾球Ｅ（小趾Ｍ５のつけ根）を両端とし、上方に反ったアーチ構造であり、筋肉や靱帯によって構成されるものである。より厳密には、横アーチＦは、図３に示すように、第一中足骨Ｈ１の骨頭部分（拇趾球Ｄ）を始端とし、第二中足骨Ｈ２、第三中足骨Ｈ３、及び第四中足骨Ｈ４の骨頭部分を通り、第五中足骨Ｈ５の骨頭部分（小趾球Ｅ）を終端としている。
【００２１】
図２〜４に示すように、接足面５には、拇趾球Ｄと小趾球Ｅの直下にあたる部分の間に、すなわち、横アーチＦの直下にあたる部分に、幅方向の断面が弧状に膨隆する横アーチ加圧部７が形成される。この横アーチ加圧部７の断面弧状の膨隆形状は、足Ｃを載せた時に横アーチＦを矯正・ストレッチし得るよう、横アーチＦと同程度か、横アーチＦより若干きつい湾曲形状をなしている。なお、履物本体２は、着用者の体重によって、横アーチ加圧部７の断面形状が大きく変形することがないよう、強い弾性を有する樹脂材料で構成されている。
【００２２】
一方、接足面５には、拇趾球Ｄと小趾球Ｅの直下にあたる部分に、拇趾球Ｄと小趾球Ｅを支持しないよう形成された、左右一対の逃げ部８，８が設けられる。この逃げ部８は、図４に示すように、横アーチ加圧部７の両側縁よりも１０ｍｍ程度低い位置に形成された平坦面であり、横アーチ加圧部７との高さの違いによって、拇趾球Ｄ及び小趾球Ｅが当接しないよう構成される。
【００２３】
かかる接足面５の凹凸形状によれば、図４に示すように、接足面５に足Ｃを載せたときに、拇趾球Ｄと小趾球Ｅは接足面５に当接せず、普段は拇趾球Ｄと小趾球Ｅで支持している荷重が、横アーチ加圧部７に載せられた部分に加わることとなる。
【００２４】
このように、本実施例のサンダル１では、普段は拇趾球Ｄや小趾球Ｅで支持している荷重が、横アーチ加圧部７に載せられた、拇趾球Ｄと小趾球Ｅの間の、横アーチＦを形成する部位に加わることとなる。このため、本実施例のサンダル１を着用して直立したり、歩行したりすれば、横アーチ加圧部７の断面弧状の膨隆形状によって、横アーチ形成部位を下から強く押圧することができ、これにより、ハイヒールの着用等によって歪んだ横アーチＦを矯正するとともに、横アーチＦを形成する筋肉のストレッチを行うことが可能となる。特に、本実施例のサンダル１は、横アーチＦを形成する部分を下から強く加圧するものであるため、長時間着用しなくても、数分〜数十分着用する程度で十分な効果を得ることができるといった利点がある。
【００２５】
また、本実施例のサンダル１は、図１（ｂ）に示すように、甲被３を開放状態にして接足面５全体を開放することで、横アーチ加圧部７や逃げ部８の上に、足裏を正しく、かつ容易に載せることができる。また、足裏を接足面５に正しく載せた状態で、足Ｃの甲を甲被３で覆うことで、接足面５と足裏の位置を正確に保持できるという利点がある。
【実施例２】
【００２６】
本実施例は、実施例１から逃げ部の形状を変更したものである。本実施例（図５）と実施例１（図４）の断面図を比較すると明らかなように、本実施例に係る逃げ部８ａ，８ａは、横アーチ加圧部７の側縁から外側に下り傾斜する傾斜面１０と、該傾斜面１０の外側に形成される平坦面１１とで構成される。このように、本発明に係る逃げ部は、拇趾球Ｄや小趾球Ｅと当接しないのであれば、斜めに凹んだものであっても構わない。なお、本実施例と実施例１の構成は、逃げ部８ａ以外の構成は同じであるため、共通する構成については、本文中および図中で符号を共通させて説明を省略する。
【実施例３】
【００２７】
本実施例は、実施例１から逃げ部の形状を変更したものである。本実施例（図６）と実施例１（図４）の断面図を比較すると明らかなように、本実施例に係る逃げ部８ｂ，８ｂは、拇趾球Ｄ及び小趾球Ｅの直下にあたる部分を欠落させてなるものである。このように、本発明に係る逃げ部は、凹部に限らず、欠落部によって構成することもでき、逃げ部を欠落部によって構成した場合も、凹部の場合と同様の効果を得ることができる。なお、本実施例と実施例１の構成は、逃げ部８ｂ以外の構成は同じであるため、共通する構成については、本文中および図中で符号を共通させて説明を省略する。
【実施例４】
【００２８】
本実施例は、実施例１から逃げ部の形状を変更したものである。図７に示すように、本実施例に係る逃げ部８ｃ，８ｃは、横アーチ加圧部７の側縁から外側に下り傾斜する傾斜当接部１２と、該傾斜当接部１２の外側に形成される非当接部１３とで構成される。かかる構成にあっては、非当接部１３は、横アーチ加圧部７よりも十分低い位置に形成されるため、拇趾球Ｄ及び小趾球Ｅと当接することはないが、横アーチ加圧部７と連続する傾斜当接部１２には、拇趾球Ｄと小趾球Ｅの内側部が当接することとなる。しかしながら、傾斜当接部１２は、外側に向けて４５°の急角度で下り傾斜したものであるため、拇趾球Ｄと小趾球Ｅの内側部が傾斜当接部１２に当接していても、かかる当接部分で体が支持されることはない。このように、本発明に係る逃げ部は、外側に急角度で下り傾斜させた部分であれば、拇趾球Ｄや小趾球Ｅと当接させたとしても、当該当接部分で体が支持されることがないため、他の実施例同様に、横アーチ加圧部７に載せられた部位を下から強く加圧して、横アーチＦの矯正やストレッチを行うことが可能となる。なお、本実施例に係る非当接部１３は平坦面によって構成されているが、非当接部１３は、傾斜面にすることもできるし、欠落部とすることもできる。
【００２９】
なお、本発明の履物は、上記実施例の形態に限らず本発明の要旨を逸脱しない範囲内において種々変更を加えることができる。例えば、上記実施例は、本発明をサンダルに適用したものであるが、本発明はサンダルタイプ以外の履物にも適用可能である。また、上記実施例では、接足面５の、横アーチに対応する部位のみに凹凸形状や欠落部が設けられていたが、本発明に係る接足面は、本発明の作用効果を損なわない範囲内で、横アーチに対応する部位以外を凹凸形状にしたり、欠落させたりすることができる。
【００３０】
また、上記実施例では、接足面５が滑面となっていたが、本発明に係る接足面には、本発明の作用効果を損なわない範囲内で、滑止め効果を発揮し得る微少な凹凸形状を形成することができる。また、接地面４についても、本発明の作用効果を損なわない範囲内で、凹凸形状を設けることが可能である。また、上記実施例１〜３では、左右の逃げ部が略対称形状であるが、例えば、片側の逃げ部を実施例１の形状とし、他側の逃げ部に実施例２〜４の逃げ部の形状にするといったように、左右の逃げ部を非対称形状にすることも可能である。
【符号の説明】
【００３１】
１  サンダル（履物）
２  履物本体
３  甲被
３ａ，３ｂ  甲被片
４  接地面
５  接足面
６  面ファスナー（連結手段）
７  横アーチ加圧部
８，８ａ，８ｂ，８ｃ  逃げ部
１０  傾斜部
１１  平坦部
１２  傾斜当接部
１３  非当接部
Ｃ  足
Ｄ  拇趾球
Ｅ  小趾球
Ｆ  横アーチ
【要約】
【課題】足の横アーチの矯正やストレッチを好適に行い得る履物を提供する。
【解決手段】履物の接足面５の、拇趾球Ｄと小趾球Ｅの直下にあたる部分の間に、幅方向の断面が弧状となるよう膨隆する横アーチ加圧部７を形成するとともに、接足面５の、拇趾球Ｄの直下と小趾球Ｅの直下に、拇趾球Ｄ及び小趾球Ｅを支持しない一対の逃げ部８，８を形成する。かかる構成にあっては、普段は拇趾球Ｄと小趾球Ｅで支持している荷重が、横アーチ加圧部７に載せた部分に加わるため、横アーチＦを形成する部位を、断面弧状をなす横アーチ加圧部７によって下方から強く押圧して、横アーチＦの矯正やストレッチを行うことが可能となる。
【選択図】図４【図１】
0005469775.tif 000002
【図２】
0005469775.tif 000003
【図３】
0005469775.tif 000004
【図４】
0005469775.tif 000005
【図５】
0005469775.tif 000006
【図６】
0005469775.tif 000007
【図７】
0005469775.tif 000008
【図８】
0005469775.tif 000009